(57)【特許請求の範囲】
【請求項１】
両眼視機能を検査する両眼視機能検査装置において、
透過軸を垂直方向とする第一の偏光フィルタと、透過軸を水平方向とし該第一の偏光フィルタとは個数を相違した第二の偏光フィルタとが、板面上の中心点の周囲に所定の角度間隔で配置され、該中心点を軸に回転可能に軸支された回転視標板と、
該回転視標板の背面側に配設され、該偏光フィルタに背面側から正面側に光を透過させ、背面照明を行なう光源と、
被検者が検査時に装用するメガネであって、一方のレンズ位置に透過軸を垂直方向とする偏光フィルタが設けられ、他方のレンズ位置に透過軸を水平方向とする偏光フィルタが設けられた偏光メガネと、
を備えたことを特徴とする両眼視機能検査装置。
【請求項２】
前記回転視標板には、２個の前記第一の偏光フィルタと１個の前記第二の偏光フィルタと１個の白色フィルタが９０°の間隔で配置され、該回転視標板は該各偏光フィルタの透過軸が水平方向又は垂直方向となる位置で停止するように９０°間隔で回転・停止することを特徴とする請求項１記載の両眼視機能検査装置。
【請求項３】
両眼視機能を検査する両眼視機能検査装置において、
正面に４個の視標窓が、中心点を通る水平軸上と該中心点を通り該水平軸に直交する垂直軸上に該中心点からの距離を同一にして配置されてなる箱形のケースと、
該ケース内に該中心点を通る軸に回転可能に軸支され、透過軸を垂直方向とする２個の偏光フィルタと透過軸を水平方向とする１個の偏光フィルタと１個の白色フィルタが９０°の間隔で配置されると共に、該ケース正面の４個の該視標窓と該偏光フィルタ及び白色フィルタとが重なり合う位置に回転・停止可能に配置されてなる回転視標板と、
該ケース内の該回転視標板の背面側に配設され、該偏光フィルタと白色フィルタに背面側から正面側に光を透過させる光源と、
被検者が検査時に装用するメガネであって、一方のレンズ位置に透過軸を垂直方向とする偏光フィルタが設けられ、他方のレンズ位置に透過軸を水平方向とする偏光フィルタが設けられた偏光メガネと、
を備えたことを特徴とする両眼視機能検査装置。
【請求項４】
両眼視機能を検査する両眼視機能検査装置において、
正面に４個の視標窓が、中心点を通る水平軸上と該中心点を通り該水平軸に直交する垂直軸上に該中心点からの距離を同一にして配置されてなる箱形のケースと、
該ケース内に該中心点を通る軸に回転可能に軸支され、２個の緑色フィルタと１個の赤色フィルタと１個の白色フィルタ、或は１個の緑色フィルタと２個の赤色フィルタと１個の白色フィルタが９０°の間隔で配置されると共に、該ケース正面の４個の該視標窓と該緑色フィルタ、赤色フィルタ及び白色フィルタとが重なり合う位置に回転・停止可能に配置されてなる回転視標板と、
該ケース内の該回転視標板の背面側に配設され、該緑色フィルタ、赤色フィルタ及び白色フィルタに背面側から正面側に光を透過させる光源と、
被検者が検査時に装用するメガネであって、一方のレンズ位置に緑色レンズが設けられ、他方のレンズ位置に赤色レンズが設けられた赤緑メガネと、
を備えたことを特徴とする両眼視機能検査装置。
【発明の詳細な説明】
【０００１】
【発明の属する技術分野】
本発明は、両眼視機能を自然視に近い状態で検査する両眼視機能検査装置に関する。
【０００２】
【従来の技術】
両眼視機能の検査は、弱視或は斜視の治療のために重要な検査であり、従来より各種の検査装置が提案され使用されているが、このような両眼視機能を定性的に検査する両眼視機能検査装置として、従来、ウォース４灯式検査装置が知られている。
【０００３】
このウォース４灯式検査装置は、方形の箱の前面に、所定の大きさで視標となる４個の孔を上下、左右位置に各々設け、箱内に１個の電球を配設し、その上孔には赤色ガラスを、下孔には白色ガラスを、左孔及び右孔には緑色ガラスを、夫々取り付けて構成され、被検者には、一方に赤色ガラス（フィルタ）を嵌め他方に緑色ガラス（フィルタ）を嵌め込んだ赤緑メガネを装用させて、それらの視標の見え方を観察して、被検者の両眼視機能を検査するものである。
【０００４】
【発明が解決しようとする課題】
このウォース４灯式検査装置を使用して両眼視機能の検査を行なう場合、赤緑メガネを装用した被検者は、装置の灯視標を見て、その数とその位置関係を答えるが、メガネの赤色フィルタと緑色灯、緑色フィルタと赤色灯は補色により打ち消されるため、赤色フィルタの眼からは、上方の赤色灯と下方の無色灯が赤色に見え、緑色フィルタの眼からは、左右の２個の緑色灯と下方の無色灯が緑色に見え、左右の眼は、相互に他眼で見える視標を見ることができないしくみである。従って、被検者に斜位や斜視があって片眼に抑制がある場合、概略的には、赤色２灯のみが見えれば、緑色フィルタ側の眼に抑制があり、緑色３灯のみが見えるときには、赤色フィルタ側の眼に抑制があることになる。
【０００５】
しかしながら、従来のこのウォース４灯式検査装置は、被検者が赤緑メガネを装用してつまり色フィルタを通した眼で検査されるため、自然視の状態から離れて特殊な視覚状態で検査が行なわれるから、被検者の融像力を弱めて、正確な両眼視機能検査ができにくい問題があった。
【０００６】
ところで、両眼視機能が正常であり、両眼の網膜対応点に同一像が投影された場合には融像が行なわれる。しかし、被検者に斜視・弱視がある場合、両眼の網膜対応点に大きく相違した像が投影されるため、融像が行なわれず、両眼から得られた像の情報が相互に抑制し合って視野闘争が行なわれ、何れかの像の情報を消して視認しないようにしている。このような視野中の網膜対応領域における限局性の感度低下部分が抑制暗点と呼ばれるものである。
【０００７】
この抑制暗点を定量的に測定することは、斜視・弱視の治療に重要な検査となるが、上記ウォース４灯式検査装置では、赤色ガラス、緑色ガラス、及び白色ガラスを嵌めた視標位置が固定されているため、この抑制暗点を定量的に測定することは容易ではないという問題があった。
【０００８】
本発明は、上記の点に鑑みてなされたもので、自然視に近い状態で両眼視機能の検査を良好に実施できる共に、抑制暗点の定量的な測定を容易に行なうことができる両眼視機能検査装置を提供することを目的とする。
【０００９】
【課題を解決するための手段】
上記目的を達成するために、本発明の両眼視機能検査装置は、両眼視機能を検査する両眼視機能検査装置において、透過軸を垂直方向とする第一の偏光フィルタと、透過軸を水平方向とし第一の偏光フィルタとは個数を相違した第二の偏光フィルタとが、板面上の中心点の周囲に所定の角度間隔で配置され、中心点を軸に回転可能に軸支された回転視標板と、回転視標板の背面側に配設され、第一、第二の偏光フィルタに背面側から正面側に光を透過させ、背面照明を行なう光源と、被検者が検査時に装用するメガネであって、一方のレンズ位置に透過軸を垂直方向とする偏光フィルタが設けられ、他方のレンズ位置に透過軸を水平方向とする偏光フィルタが設けられた偏光メガネと、を備えたことを特徴とする。
【００１０】
ここで、回転視標板には２個の第一の偏光フィルタと１個の第二の偏光フィルタと１個の白色フィルタを９０°の間隔で配置し、回転視標板は各偏光フィルタの透過軸が水平方向又は垂直方向となる位置で停止するように９０°間隔で回転・停止するように構成することができる。
【００１１】
【作用】
この両眼視機能検査装置を用いて両眼視機能を検査する場合、被検者に偏光メガネを装用させ、回転視標板の前方で所定距離だけ離れた位置に被検者を位置させ、光源を点灯させる。そして、回転視標板上で背後から照明表示される偏光フィルタと白色フィルタの数と位置を被検者に答えさせる。
【００１２】
例えば、偏光メガネの右側レンズに垂直方向の透過軸を持つ偏光フィルタが位置し、左側レンズに水平方向の透過軸を持つ偏光フィルタが位置する場合、被検者は右眼では水平方向の透過軸を持つ平面偏光を見ることができず、左眼では垂直方向の透過軸を持つ平面偏光を見ることができない。従って、光源の点灯により、回転視標板の第一の偏光フィルタを通して垂直透過軸の平面偏光が出射され、第二の偏光フィルタを通して水平透過軸の平面偏光が出射される場合、被検者の右眼では第二の偏光フィルタの箇所を見ることができず、左眼では第一の偏光フィルタの箇所を見ることができず、被検者の左右の眼を分離させて、視標を見る状態を作り出す。
【００１３】
このため、被検者の両眼視機能が正常な場合には、右眼で白色フィルタと第一の偏光フィルタの箇所を見て、左眼で白色フィルタと第二の偏光フィルタの箇所を見るから、背面照明される第一・第二の偏光フィルタの箇所が所定の配置通りに被検者には見えることになる。一方、被検者が、第一の偏光フィルタの箇所を見ることができるが、第二の偏光フィルタの箇所を見ることができない場合、左眼に抑制があり、第二の偏光フィルタの箇所を見ることができるが、第一の偏光フィルタの箇所を見ることができない場合、右眼に抑制があることになる。
【００１４】
上記両眼視機能検査装置を用いて抑制暗点の定量検査を行なうこともできる。一般に、斜視・弱視の抑制暗点は、眼底（網膜）の中央部分にある大きさを持って位置し、被検者が例えば５０ｃｍ位の比較的近い距離で視標を見た場合、その抑制暗点から外れた周辺網膜で像を捉えるため、両眼の同時視が可能である。そこで、抑制暗点の定量検査を行なう場合、被検者が偏光メガネを装用した状態で、照明表示される回転視標板上の偏光フィルタの箇所を視認可能な位置まで、回転視標板を被検者に近づける。
【００１５】
そして、回転視標板の各偏光フィルタの箇所を視認可能な位置から回転視標板を徐々に被検者より離していき、複数の偏光フィルタの箇所のうちの１個の偏光フィルタの箇所が見えなくなった時の被検者から回転視標板までの距離を計測し、その距離と偏光フィルタの水平方向又は垂直方向の間隔とから、被検者の回転視標板を見る際の視角を算出する。このような検査・測定は、回転視標板を９０°づつ回転させて行なわれ、各々の角度位置における視角を測定・算出することにより、被検者の抑制暗点の大きさを定量的に求めることができる。
【００１６】
【発明の実施の形態】
以下、本発明の実施の形態を図面に基づいて説明する。図１は両眼視機能を検査する両眼視機能検査装置の斜視図を、図２はその背面図を示している。この両眼視機能検査装置は、視標となる両眼視機能検査装置本体１と、被検者が検査時に装用する偏光メガネ２０とから構成される。
【００１７】
両眼視機能検査装置本体１は、矩形箱形のケース２が支持台４上に水平軸５を介して設けられ、ケース２の正面側に、正面中心の周囲に９０°間隔で４個の円形の視標窓、つまり左の視標窓３ａ、右の視標窓３ｂ、上の視標窓３ｃ、及び下の視標窓３ｄが所定位置に形成される。左右の視標窓３ａ，３ｂは中心点Ｏを通る水平軸上に位置し、上下の視標窓３ｃ，３ｄは中心点Ｏで水平軸と直交する垂直軸上に位置し、中心点Ｏから各視標窓までの距離は同一である。各視標窓３ａ〜３ｄの直径Ｒは例えば４０ｍｍに設定され、左の視標窓３ａと右の視標窓３ｂの間隔Ｗは例えば１６０ｍｍに、上の視標窓３ｃと下の視標窓３ｄの間隔Ｗも１６０ｍｍに設定される。
【００１８】
ケース２の少なくとも正面側は、黒色に塗装され、点灯表示される視標窓を見やすくしている。また、ケース２は、支持台４上で水平軸５により前後に傾動可能に支持され、その前後の傾斜角度を調整可能である。ケース２の上部に把手１３が設けられる。
【００１９】
下の視標窓３ｄの直下に、被検者に視標を注目させるための固視灯７が設けられ、この固視灯７を点灯させるための固視灯スイッチ８がケース２上に設けられる。また、ケース２内には、やはり被検者に対し音で視標を注目させるために、図４に示すように、オルゴール装置１６が配設される。オルゴール装置１６には電子楽音発生装置が使用され、予めメモリに楽音信号が記憶され、それを楽曲選曲信号に基づき、読み出して楽音を再生し、その音楽をスピーカ１７から再生する。図２において、１１はオルゴールを再生するオルゴールスイッチ、１２は再生するオルゴールの楽曲を選択するオルゴール選択スイッチである。
【００２０】
図４、図５に示すように、ケース２内には、円盤状の回転視標板９が、ケースの背面板に水平に軸支された回転軸１４により、回転可能に支持され、回転視標板９上に設けられた偏光フィルタ９ａ〜９ｃと白色フィルタ９ｄが上記ケース正面の各視標窓３ａ〜３ｄに対応した位置に配置される。
【００２１】
即ち、回転視標板９は、図５に示すように、円盤の中心点の周囲に９０°の間隔で３個の偏光フィルタ９ａ〜９ｃと１個の白色フィルタ９ｄを設けて形成される。偏光フィルタ９ａ〜９ｃは透過する光の特定成分を選択的に吸収し、水平又は垂直成分の平面光のみを透過させるつまり平面偏光させるフィルタであり、図５に示すように回転視標板９を基準となる０°の位置に位置させた場合、左右位置の偏光フィルタ９ａ、９ｂの透過軸は垂直方向（縦方向）となり、上位置の偏光フィルタ９ｃの透過軸は水平方向（横方向）となるように配置される。白色フィルタ９ｄは磨りガラス等の白色光を透過させるものである。これらの３個の偏光フィルタ９ａ〜９ｃと１個の白色フィルタ９ｄの位置は、上記ケース正面の各視標窓３ａ〜３ｄの位置に対応している。
【００２２】
回転視標板９を支持する回転軸１４の末端はケース背面側に突出し、そこに回転ハンドル１４ａが固定される。図４に示すように、回転ハンドル１４ａの内側には、９０°間隔で嵌合孔が設けられると共に、その孔に嵌合する鋼球とそれを付勢するコイルばねとが設けられ、回転ハンドル１４ａの回動操作により、回転視標板９が０°、９０°、１８０°、及び２７０°の４位置を正確且つ簡単に設定できるようにしている。回転視標板９が０°、９０°、１８０°、及び２７０°の４位置にある時、回転視標板９上の３個の偏光フィルタ９ａ〜９ｃと１個の白色フィルタ９ｄの位置は、ケース正面の各視標窓３ａ〜３ｄの位置に重ねるように一致する。
【００２３】
更に、ケース２内には、上記４個の各視標窓３ａ〜３ｄに対応した位置に、蛍光灯ランプ等の光源１５が４個配設され、各光源１５から出た光が回転視標板９の偏光フィルタ９ａ〜９ｃと白色フィルタ９ｄを通り、各視標窓３ａ〜３ｄから出射されるように配置される。ケース２の底部には、これらの光源１５を点灯させるための電源スイッチ６が設けられる。
【００２４】
被検者が検査時に装用する偏光メガネ２０は、図１のように、左右のレンズ位置を反転して装用可能な構造のメガネであり、一方のレンズ位置に透過軸を垂直方向（縦方向）とする偏光フィルタ２１が設けられ、他方のレンズ位置に透過軸を水平方向（横方向）とする偏光フィルタ２２が設けられる。
【００２５】
上記構成の両眼視機能検査装置を使用して両眼視機能の検査を行なう場合、被検者に偏光メガネ２０を装用させ、両眼視機能検査装置本体１から例えば５ｍの距離に被検者を位置させる。そして、両眼視機能検査装置本体１の電源スイッチ６をオンし、光源１５を点灯させ、被検者に両眼視機能検査装置本体１の正面の４個の視標窓３ａ〜３ｄを見させ、その見えた視標窓の数と位置を答えさせる。４個の光源１５により、４個の円形の視標窓３ａ〜３ｄは、ケース２の黒色面上で点灯される。
【００２６】
被検者が幼児の場合、オルゴール選択スイッチ１２、オルゴールスイッチ１１を操作して、オルゴール装置１６を動作させ、スピーカ１０からオルゴールを流したり、固視灯スイッチ８を操作して正面の固視灯７を点灯させることにより、幼児の注意を両眼視機能検査装置本体１の前面に向けるようにする。
【００２７】
被検者は偏光メガネ２０をかけてはいるものの、従来のように赤色と緑色の色メガネではなく、自然な物体の色を見ることができるメガネであるため、自然視に近い状態で、視標を見ながら検査を行なうことができる。
【００２８】
検査時、被検者は偏光メガネ２０を通して視標を見ることになるため、例えばメガネの右側レンズに垂直方向（縦方向）の透過軸を持つ偏光フィルタ２１が位置し、左側レンズに水平方向（横方向）の透過軸を持つ偏光フィルタ２２が位置する場合、被検者は右眼では水平方向（横方向）の透過軸を持つ平面偏光を見ることができず、左眼では垂直方向（縦方向）の透過軸を持つ平面偏光を見ることができない。
【００２９】
従って、回転視標板９の位置が０°位置（図５の状態）にある場合、左右の視標窓３ａ，３ｂから偏光フィルタ９ａ、９ｂを通して垂直透過軸の平面偏光が出射され、上の視標窓３ｃからは偏光フィルタ９ｃを通して水平透過軸の平面偏光が出射されるから、被検者の右眼では上の視標窓３ｃを見ることができず、左眼では左右の視標窓３ａ，３ｂを見ることができず、被検者の左右の眼を分離させて、視標窓３ａ〜３ｄを見る状態を作り出している。
【００３０】
このため、被検者の両眼視機能が正常な場合には、右眼で左右の視標窓３ａ，３ｂ，３ｄを見て、左眼で上の視標窓３ｃ，３ｄを見るから、点灯する４個の視標窓３ａ〜３ｄが図１の配置通りに被検者には見えることになる。一方、被検者が、左右の視標窓３ａ，３ｂを見ることができるが、上の視標窓３ｃを見ることができない場合、左眼に抑制があり、上の視標窓３ｃを見ることができるが、左右の視標窓３ａ，３ｂを見ることができない場合、右眼に抑制があることになる。
【００３１】
このような両眼視機能の検査は、更に、被検者が装用する偏光メガネ２０を、左右のレンズ位置を反転した状態に装用させて同様な検査を実施し、更に、回転ハンドル１４ａを操作して回転視標板１４の位置を９０°、１８０°、２７０°と９０°間隔で回動させ、視標窓３ａ〜３ｄに位置する偏光フィルタ９ａ〜９ｃ及び白色フィルタ９ｄの位置関係を変えた状態で、上記と同様の検査を行なうことができる。
【００３２】
次に、上記両眼視機能検査装置を用いて抑制暗点の定量検査を行なう場合を説明する。一般に、斜視・弱視の抑制暗点は、眼底（網膜）の中央部分にある大きさを持って位置し、被検者が例えば５０ｃｍ位の比較的近い距離で視標を見た場合、その抑制暗点から外れた周辺網膜で像を捉えるため、両眼の同時視が可能である。そこで、抑制暗点の定量検査を行なう場合、被検者が偏光メガネ２０を装用した状態で、４個の視標窓３ａ〜３ｄを視認可能な位置（例えば５０ｃｍ）まで、両眼視機能検査装置本体１を被検者に近づける。
【００３３】
そして、４個の視標窓３ａ〜３ｄを視認可能な位置から、両眼視機能検査装置本体１を徐々に被検者から離していき、４個の視標窓のうち１個の視標窓が見えなくなり、見える視標窓の数が３個になった時の見え方と、被検者から装置本体１の視標窓までの距離Ｌ1 を計測し、その距離Ｌ1 と視標窓３ａ〜３ｄの水平方向又は垂直方向の間隔Ｗとから、被検者の視標窓を見る際の視角を算出する。
【００３４】
例えば、図６の表の左欄に示すように、回転視標板９の位置が０°位置（図５の状態）にあって、被検者が右側レンズに垂直方向（縦方向）の透過軸を持つ偏光フィルタ２１、左側レンズに水平方向（横方向）の透過軸を持つ偏光フィルタ２２を有する偏光メガネを装用する場合、被検者と視標間の距離がＬ1 になった時に、上の視標窓３ｃが見えなくなり、左右と下の視標窓３ａ，３ｂ，３ｄのみが見える場合、被検者が視標窓３ａ〜３ｄを見る際の視角θ1 は、
ｔａｎθ1 ／２＝Ｗ／２Ｌ1   の式から算出される。
【００３５】
この視角θ1 は上の視標窓３ｃが見えなくなった場合であるから、左眼に抑制暗点があり、θ1 ／２の抑制暗点の位置は、図６の表の左欄に示すように、網膜対応の位置で、中心から９０°の方向に視角θ1 ／２だけ離れた位置と判明する。
【００３６】
次に、回転ハンドル１４ａを操作して回転視標板９を１８０°の位置に回した状態で、上記と同様に、再び、４個の視標窓３ａ〜３ｄを視認可能な位置から、両眼視機能検査装置本体１を徐々に被検者から離していき、４個の視標窓のうち１個の視標窓が見えなくなり、見える視標窓の数が３個になった時の見え方と、被検者から装置本体１の視標窓までの距離Ｌ2 を計測する。
【００３７】
例えば、図６の表の右欄に示すように、回転視標板９の位置は１８０°位置にあって、被検者が右側レンズに垂直方向（縦方向）の透過軸を持つ偏光フィルタ２１、左側レンズに水平方向（横方向）の透過軸を持つ偏光フィルタ２２を有する偏光メガネを装用し、被検者と視標間の距離がＬ2 になった時に、下の視標窓３ｄが見えなくなり、左右と上の視標窓３ａ，３ｂ，３ｃのみが見える場合、被検者が視標窓３ａ〜３ｄを見る際の視角θ2 は、
ｔａｎθ2 ／２＝Ｗ／２Ｌ2   の式から算出される。
【００３８】
この視角θ2 は下の視標窓３ｄが見えなくなった場合であるから、左眼に抑制暗点があり、θ2 ／２の抑制暗点の位置は、図６の表の右欄に示すように、網膜対応の位置で、中心から２７０°の方向に視角θ2 ／２だけ離れた位置と判明する。
【００３９】
次に、被検者の偏光メガネ２０を上記とは反転して装用させ、上記と同様な検査を行なう。つまり左側レンズに垂直方向（縦方向）の透過軸を持つ偏光フィルタ２１を、右側レンズに水平方向（横方向）の透過軸を持つ偏光フィルタ２２を配置した偏光メガネ２０を被検者に装用させる。
【００４０】
そして、回転ハンドル１４ａを操作して回転視標板９を９０°の位置に回した状態で、上記と同様に、再び、４個の視標窓３ａ〜３ｄを視認可能な位置から、両眼視機能検査装置本体１を徐々に被検者から離していき、４個の視標窓のうち１個の視標窓が見えなくなり、見える視標窓の数が３個になった時の見え方と、被検者から装置本体１の視標窓までの距離Ｌ3 を計測する。
【００４１】
例えば、図７の表の左欄に示すように、回転視標板９の位置は９０°位置にあって、被検者が左側レンズに垂直方向（縦方向）の透過軸を持つ偏光フィルタ２１、右側レンズに水平方向（横方向）の透過軸を持つ偏光フィルタ２２を有する偏光メガネを装用し、被検者と視標間の距離がＬ3 になった時に、右の視標窓３ｂが見えなくなり、上下と左の視標窓３ａ，３ｃ，３ｄのみが見える場合、被検者が視標窓３ａ〜３ｄを見る際の視角θ3 は、
ｔａｎθ3 ／２＝Ｗ／２Ｌ3   の式から算出される。
【００４２】
この視角θ3 は右の視標窓３ｂが見えなくなった場合であるから、左眼に抑制暗点があり、θ3 ／２の抑制暗点の位置は、図７の表の左欄に示すように、網膜対応の位置で、中心から０°の方向に視角θ3 ／２だけ離れた位置と判明する。
【００４３】
次に、偏光メガネ２０は上記と同様の反転状態で装用させ、回転ハンドルを操作して回転視標板９を２７０°の位置に回した状態で、再び、４個の視標窓３ａ〜３ｄを視認可能な位置から、両眼視機能検査装置本体１を徐々に被検者から離していき、上記と同様に４個の視標窓のうち１個の視標窓が見えなくなり、見える視標窓の数が３個になった時の見え方と、被検者から装置本体１の視標窓までの距離Ｌ4 を計測する。
【００４４】
例えば、図７の表の右欄に示すように、回転視標板９の位置は２７０°位置にあって、被検者が左側レンズに垂直方向（縦方向）の透過軸を持つ偏光フィルタ２１、右側レンズに水平方向（横方向）の透過軸を持つ偏光フィルタ２２を有する偏光メガネを装用し、被検者と視標間の距離がＬ4 になった時に、左の視標窓３ａが見えなくなり、上下と右の視標窓３ｂ，３ｃ，３ｄのみが見える場合、被検者が視標窓を見る際の視角θ4 は、
ｔａｎθ4 ／２＝Ｗ／２Ｌ4   の式から算出される。
【００４５】
この視角θ4 は左の視標窓３ａが見えなくなった場合であるから、左眼に抑制暗点があり、θ4 ／２の抑制暗点の位置は、図７の表の右欄に示すように、網膜対応の位置で、中心から１８０°の方向に視角θ4 ／２だけ離れた位置と判明する。
【００４６】
このようにして測定・算出された視角θ1 ／２〜θ4 ／２は、被検者の抑制暗点の各方向における境界を示すことになるから、図８に示すように、それらを各方向のグラフ上で合成し、各視角θ1 ／２〜θ4 ／２の点を結ぶと、その各視角θ1 ／２〜θ4 ／２を結んだ領域の内側が抑制暗点の範囲を示すことになり、抑制暗点の大きさをこのグラフから把握することができる。
【００４７】
上記検査の例は、左眼に抑制暗点がある場合であったが、右眼に抑制暗点がある場合には、偏光メガネ２０を反転する前と後で、上記とは逆の見え方となり、抑制暗点の方向と位置は上記と同様に測定・算出することができる。
【００４８】
なお、上記実施例では、ケース２正面に視標窓３ａ〜３ｄを固定的に設け、ケース内に偏光フィルタ９ａ〜９ｃ及び白色フィルタ９ｄを有する回転視標板９を回転可能に配設したが、視標窓と回転視標板を一体に形成することもでき、この場合には、ケースの正面に回転視標板を露出して配置し、その回転視標板上に円形に穿設した４個の視標窓に偏光フィルタと白色フィルタを覆うように固着し、その背面側に光源を配置すればよい。
【００４９】
また、上記実施例では、回転視標板９に偏光フィルタ９ａ〜９ｃを設け、偏光メガネを使用したが、上記と同様な回転視標板に赤色フィルタ、緑色フィルタ、及び白色フィルタを嵌め込み、赤緑メガネを使用して、上記と同様な抑制暗点の検査を行なうこともできる。この場合、自然視に近い状態での検査は望めないものの、上記実施例のように、装置本体を被検者から徐々に離しながら、視標の見え方の変化とそのときの装置本体と被検者との距離を測定することにより、抑制暗点の検査を行なうことができる。
【００５０】
【発明の効果】
以上説明したように、本発明によれば、色メガネではなく偏光メガネを装用して検査を行なうから、自然視に近い状態で、両眼視機能の検査を良好に行なうことができ、また、回転視標板を回転・停止させながら、視標となる偏光フィルタの角度位置を変えながら、片眼抑制暗点の定量的な測定を容易に行なうことができる。
【図面の簡単な説明】
【図１】本発明の一実施形態を示す両眼視機能検査装置の斜視図である。
【図２】両眼視機能検査装置本体１の背面図である。
【図３】両眼視機能検査装置本体１の左側面図である。
【図４】両眼視機能検査装置本体１の縦断面図である。
【図５】回転視標板９の正面図である。
【図６】抑制暗点を定量的に検査する際の検査状態を表として示す説明図である。
【図７】抑制暗点を定量的に検査する際の検査状態を表として示す説明図である。
【図８】検査結果としての抑制暗点の範囲を示すグラフである。
【符号の説明】
１−両眼視機能検査装置本体
２−ケース
３ａ〜３ｄ−視標窓
９−回転視標板
９ａ〜９ｃ−偏光フィルタ
９ｄ−白色フィルタ
１５−光源
２０−偏光メガネ
２１、２２−偏光フィルタ
【図１】
0004177515.tif 000002
【図２】
0004177515.tif 000003
【図３】
0004177515.tif 000004
【図４】
0004177515.tif 000005
【図５】
0004177515.tif 000006
【図６】
0004177515.tif 000007
【図７】
0004177515.tif 000008
【図８】
0004177515.tif 000009